(57)【要約】【課題】装置本体の小型化や読み取り時間の短縮化に貢献しつつ、小サイズで厚肉の樹脂カード類への読み取りを可能とし、原稿の読み取りの多様化に対応することができる画像読取装置及び画像形成装置を提供すること。【解決手段】画像の読み取り対象となる原稿を積載する原稿トレイ５１と、原稿トレイ５１に積載された原稿を取り出す供給口５５ａと、供給口５５ａで取り出した原稿を搬送する原稿搬送部５２と、原稿搬送部５２に配置して搬送中の原稿の画像を読み取るイメージセンサ４１１と、原稿搬送部５２に配置して搬送中の原稿の他面側の画像を読み取る第２原稿画像読取装置６９と、供給口５５ａとは別に原稿を原稿搬送部５２の中途部に向けて供給する供給口７２と、供給口７２から第２原稿画像読取装置６９を経由して排出口５５ｂに至る搬送経路が同一平面上に位置する原稿搬送経路５６と、を有する。【選択図】図５
2015220672.tif 000002
【特許請求の範囲】
【請求項１】
画像の読み取り対象となる原稿を供給する供給口と、
前記供給口から供給した原稿を搬送する原稿搬送部と、
前記原稿搬送部に設けた搬送原稿読取面に対応して位置したときに前記搬送原稿読取面を通過する搬送中の原稿の画像を読み取りかつ前記原稿搬送部から外れて設けた固定原稿読取面に対応して位置したときに前記固定原稿読取面に載置した原稿の画像を読み取る画像読取部と、
を備え、
前記搬送原稿読取面と前記固定原稿読取面とが同一平面内に配置されるとともに、前記搬送原稿読取面と前記固定原稿読取面との間の搬送面と離間状態で対向するように原稿接触点が位置する補助搬送ローラを設けた
ことを特徴とする画像読取装置。
【請求項２】
前記補助搬送ローラは、
前記補助搬送ローラよりも原稿搬送方向上流側で原稿と接する上流側接点と前記補助搬送ローラよりも原稿搬送方向下流側で原稿と接する下流側接点とに原稿が跨っている際に前記原稿接触点が原稿と接触することによって原稿に対する搬送力を加える
ことを特徴とする請求項１に記載の画像読取装置。
【請求項３】
前記搬送面は、
少なくとも前記原稿接触点と対向する部位に非接触となるように形成した凹部を備える
ことを特徴とする請求項１又は請求項２に記載の画像読取装置。
【請求項４】
前記補助搬送ローラは、
前記上流側接点と前記下流側接点とを結ぶ線分よりも下方に前記原稿接触点が位置するように配置されている
ことを特徴とする請求項２に記載の画像読取装置。
【請求項５】
前記補助搬送ローラよりも原稿搬送方向下流側に下流に向かうにしたがって上向き傾斜するとともに前記原稿接触点よりも上方に前記下流側接点を有する傾斜面を備え、
前記原稿接触点に対する原稿の接触圧を原稿搬送距離が増えるにしたがって強くなるように変動させることにより、原稿に対する搬送力を徐々に加えるようにした
ことを特徴とする請求項４に記載の画像読取装置。
【請求項６】
前記傾斜面の傾斜角度が可変である
ことを特徴とする請求項５に記載の画像読取装置。
【請求項７】
前記補助搬送ローラを回転可能に軸支するとともに装置本体に対して上下方向に変位可能な支持軸と、
前記搬送原稿読取面と前記固定原稿読取面との間に位置して前記支持軸の高さを調整する調整部材と、
を備えることを特徴とする請求項１乃至請求項６の何れか１の請求項に記載の画像読取装置。
【請求項８】
前記調整部材の高さを変更する変更部材を備える
ことを特徴とする請求項７に記載の画像読取装置。
【請求項９】
請求項１乃至請求項８の何れか１の請求項に記載の画像読取装置と、
前記画像読取部を用いて読み取った後の画像を記録材に形成する画像形成手段と、
を有することを特徴とする画像形成装置。
【発明の詳細な説明】
【技術分野】
【０００１】
本発明は、画像読取装置及び画像形成装置に関する。
【背景技術】
【０００２】
一般に、原稿の画像を読み取るための画像読取装置に搭載される原稿搬送装置（以下、単に「ＡＤＦ」と称する）は、原稿トレイに積載された原稿束から原稿を１枚ずつ分離して画像読取手段に向かって搬送するようになっている。ＡＤＦにより搬送する原稿の画像は、画像読取手段により読み取られる（例えば、特許文献１参照）。
【０００３】
近年、原稿の両面画像を読み取る場合には、表面画像を画像読取手段により読み取るとともに、ＡＤＦ内の搬送経路上に第２画像読取手段を配置し、この第２画像読取手段にて裏面画像を読み取る１パス両面読取方式を採用するＡＤＦが増えてきている。
【０００４】
この際、原稿の供給から読み取りを経て排出するまでの搬送経路をストレート構成にすれば、読み取り可能な原稿の種類への対応力を向上することができる。具体的には、免許証、或いは銀行等のキャッシュカードやＩＤカード等といった樹脂カードのように、厚い原稿の搬送及び読み取りにも対応することができる。
【０００５】
また、所謂コピー用紙と称される通常原稿を主とする排出口とは別に第２排出口を配置することによって、画像読み取り後の名刺サイズ等の小サイズ原稿を第２排出口から排紙することを可能としたものが各種提案されている（例えば、特許文献２，３参照）。
【０００６】
これにより、第２画像読取手段を配置したものでありながら、名刺等の小サイズ原稿の両面を１パスで読み取ることができる。
【発明の概要】
【発明が解決しようとする課題】
【０００７】
ところが、近年のＡＤＦにおいて、供給口から排出口に至る搬送経路は、ＡＤＦをコンパクト化しつつなるべく大きなサイズの原稿の搬送及び読み取ることを目的としている。
【０００８】
このため、給紙トレイと排出トレイとの一部が上下で離間した状態で重なるように配置したり、供給口から排出口に至る搬送経路の中途部には、Ｕターン搬送経路を形成するなどの工夫がなされ、新たな部品等を配置するには様々な構成上の制約がある。
【０００９】
なお、上述した通常原稿とは、このＵターン搬送経路を用いた原稿の引き継ぎ搬送を可能とする最小サイズ（例えば、葉書サイズ）から最大サイズ（例えば、Ａ４又はＡ３規格サイズの縦搬送）の範囲で予め設定した許容サイズを総称したものである。
【００１０】
また、小サイズ原稿とは、規格サイズとしては主として名刺サイズがあるが、普通サイズとしての最小サイズよりも小さいものであれば、名刺サイズに限定されるものではない。
【００１１】
そして、このような小サイズ原稿は、例えば、名刺であれば普通紙に比べて厚肉の紙ではあるもの、多少の撓りが発生する程度の搬送経路であれば完全なストレート搬送経路でなくても原稿の搬送は可能である。
【００１２】
一方、同じ名刺サイズであっても、例えば、免許証、或いは銀行等のキャッシュカードやＩＤカード等のような厚肉の樹脂カード類にあっては、撓みを発生させることは困難であった。特に、近年のこれらの厚肉の樹脂カード類の一部にあっては、ＩＣチップ等を搭載しているなど、撓みの発生は厳禁に近いものであった。
【００１３】
しかしながら、上述した特許文献１に開示の構成では、給紙から排出に至る搬送経路が完全なストレートとはなっていないうえ、プラテンガラスに原稿を密着させるための補助ローラを画像読取手段の近傍に配置してプラテンガラスに密着させているため、厚肉の樹脂カード類を下流側に搬送することが困難であった。
【００１４】
また、上述した特許文献２，３に開示の構成では、給紙口を排出口よりも下方に配置しているため、原稿をセットする際に排出トレイ等が邪魔となり、特に、小サイズの名刺や樹脂カードをセットするのが面倒であるという問題が生じていた。
【００１５】
また、原稿トレイに小サイズ原稿を適正にセットできないと、原稿ジャムやスキュー搬送の要因にもなってしまうという問題が生じていた。
【００１６】
このように、装置本体の小型化、読み取り時間の短縮化に加え、近年の原稿の読み取りの多様化に対応可能な画像読取装置及び画像形成装置が要望されているが、そのような要望に応えるものはなかった。
【００１７】
さらに、小サイズ原稿の搬送を可能とするためには、多くの搬送ローラを搬送経路に配置しないと原稿の下流側への引継ぎができなくなる。
【００１８】
このため、特許文献１のように補助ローラを配置することができれば、小サイズの原稿の搬送が可能となるが、補助ローラの下方には画像を読み取るためのプラテンガラスが存在していることから、搬送経路中の他の搬送ローラのように一対のローラによるニップ搬送の構成を採用することはできない。
【００１９】
そこで、特許文献１では、補助ローラをプラテンガラスに接触させ、その間に原稿を位置させることで補助ローラからの接触圧により搬送力を得るようにしている。
【００２０】
しかしながら、補助ローラをプラテンガラスに接触させていると、原稿が位置していないときにおいても補助ローラは回転駆動しているため、プラテンガラスに擦り跡が付着してしまったり、補助ローラに磨滅等が発生してしまうという問題が生じていた。
【００２１】
本発明は、上述のような事情に鑑みてなされたもので、装置本体の小型化や読み取り時間の短縮化に貢献しつつ、小サイズで厚肉の樹脂カード類への読み取りを可能とし、原稿の読み取りの多様化に対応することができる画像読取装置及び画像形成装置を提供することを目的とする。
【課題を解決するための手段】
【００２２】
本発明に係る画像読取装置は、上記目的を達成するため、画像の読み取り対象となる原稿を供給する供給口と、前記供給口から供給した原稿を搬送する原稿搬送部と、前記原稿搬送部に設けた搬送原稿読取面に対応して位置したときに前記搬送原稿読取面を通過する搬送中の原稿の画像を読み取りかつ前記原稿搬送部から外れて設けた固定原稿読取面に対応して位置したときに前記固定原稿読取面に載置した原稿の画像を読み取る画像読取部と、を備え、前記搬送原稿読取面と前記固定原稿読取面とが同一平面内に配置されるとともに、前記搬送原稿読取面と前記固定原稿読取面との間の搬送面と離間状態で対向するように原稿接触点が位置する補助搬送ローラを設けたことを特徴とする。
【発明の効果】
【００２３】
本発明では、装置本体の小型化や読み取り時間の短縮化に貢献しつつ、小サイズで厚肉の樹脂カード類への読み取りを可能とし、原稿の読み取りの多様化に対応することができる画像読取装置及び画像形成装置を提供することができる。
【図面の簡単な説明】
【００２４】
【図１】本発明の実施の形態に係る画像形成装置の概略構成図である。
【図２】本発明の実施の形態に係る画像読取装置の概略構成図である。
【図３】本発明の実施の形態に係る原稿搬送部の斜視図である。
【図４】本発明の実施の形態１に係る原稿搬送部の要部の斜視図である。
【図５】本発明の実施の形態１に係る原稿搬送部における補助搬送ローラの配設位置の説明図である。
【図６】本発明の実施の形態１に係る原稿搬送部を示し、（Ａ）は原稿搬送時の原稿の流れを示す説明図、（Ｂ）はカード搬送時のカードの流れを示す説明図である。
【図７】本発明の実施の形態１に係る原稿搬送部を示し、（Ａ）は補助搬送ローラに薄肉のカードが接した直後の説明図、（Ｂ）は補助搬送ローラによって薄肉のカードに搬送力が最大に加わった状態の説明図である。
【図８】本発明の実施の形態１に係る原稿搬送部を示し、（Ａ）は補助搬送ローラに厚肉のカードが接した直後の説明図、（Ｂ）は補助搬送ローラによって厚肉のカードに搬送力が加わった状態の説明図である。
【図９】本発明の実施の形態２に係る原稿搬送部の要部の斜視図である。
【図１０】本発明の実施の形態２に係る原稿搬送部を示し、補助搬送ローラの配設位置の説明図である。
【図１１】本発明の実施の形態３に係る原稿搬送部を示し、補助搬送ローラの配設位置の調整部材の説明図である。
【図１２】本発明の実施の形態３の変形例に係る原稿搬送部を示し、補助搬送ローラの調整部材の変更部材の説明図である。
【図１３】本発明の実施の形態４に係る原稿搬送部における傾斜面の角度調整部材を示し、（Ａ）は薄肉のカードＣを搬送しているときの説明図、（Ｂ）は厚肉のカードＣを搬送しているときの説明図である。
【発明を実施するための形態】
【００２５】
以下、本発明の実施の形態について、図面を用いて説明する。
【００２６】
図１は、本発明に係る画像読取装置を備えた画像形成装置の一実施の形態を示す図であり、画像形成装置を電子写真方式の複合機１に適用した例を示している。複合機１としては、例えば、一般的な静電作像方法を用いて画像を形成するフルカラーの複写機やモノクロ画像を形成する複写機などが挙げられる。また、作像方式としては、電子写真方式以外にも、例えばインクジェット方式等を用いることも可能である。さらに、上述の本発明に係る画像読取装置を備えた画像形成装置は、複合機１として構成される他に、ファクシミリ装置、印刷機又は複合機として構成してもよい。
【００２７】
図１に示すように、複合機１は、給紙部２と、画像形成部３と、画像読取部４と、自動原稿搬送装置（以下、単に「ＡＤＦ」とも称する）５と、から構成されている。また、本実施の形態において、画像読取部４とＡＤＦ５とは、画像読取装置６を構成する。
【００２８】
給紙部２は、サイズの異なるシート状の記録材Ｐを収納可能とする上下３段の給紙カセット２１Ａ，２１Ｂ，２１Ｃを有する。給紙部２は、給紙カセット２１Ａ，２１Ｂ，２１Ｃに収納された記録材Ｐをそれぞれピックアップして給紙する給紙装置２１，２２，２３を有する。給紙部２は、これら給紙装置２１，２２，２３から給紙された記録材Ｐを画像形成部３の所定の画像形成位置まで搬送する各種ローラ等から形成される給紙経路２４を有する。
【００２９】
画像形成部３は、露光装置３１と、複数の感光体ドラム３２と、シアン（Ｃ）、マゼンタ（Ｍ）、イエロー（Ｙ）、ブラック（Ｋ）の異なる色のトナーが充填された現像装置３３と、転写ベルト３４と、二次転写部３５と、定着部３６と、を有する。
【００３０】
画像形成部３は、例えば、画像読取装置６で読み取った読取画像に基づいて、露光装置３１により各感光体ドラム３２を露光（レーザ光Ｌ）して各感光体ドラム３２に潜像を形成する。これにより、各現像装置３３は、各感光体ドラム３２にそれぞれ異なる色のトナーを供給して現像するようになっている。
【００３１】
そして、画像形成部３は、各感光体ドラム３２に現像された像を転写ベルト３４に一次転写し、二次転写部３５で記録材Ｐにトナー像を二次転写した後に、定着部３６により記録材Ｐに二次転写したトナー像を溶融して、記録材Ｐにカラー画像を定着する。
【００３２】
ところで、詳細な構成は省略するが、画像形成部３は、給紙部２の給紙経路２４に搬送された記録材Ｐを引き継いでレジスト部３７で同期させた状態で二次転写部３５及び定着部３６を経由し、集積トレイ３８に排出する搬送経路３９Ａを有する。
【００３３】
また、画像形成部３は、手差トレイ２５に積載した記録紙（図示せず）をレジスト部３７よりも上流側で搬送経路３９Ａに給紙する手差給紙経路３９Ｂを有する。
【００３４】
さらに、画像形成部３は、記録材Ｐの両面に画像を形成する場合に、表面側の画像定着後の記録材Ｐを、スイッチバック経路３９Ｃ及び反転経路３９Ｄを経由してレジスト部３７よりも上流側に再給紙するようになっている。
【００３５】
画像読取部４は、光源及びミラー部材を搭載した第１キャリッジ４１と、ミラー部材を搭載した第２キャリッジ４２と、結像レンズ４３と、撮像部４４と、を有する。
【００３６】
画像読取部４は、詳しくは後述するが、ＡＤＦ５により搬送される原稿Ｓの表面画像を読み取る場合には、第１キャリッジ４１をスリットガラス４５の直下に移動し、その位置を読取位置として停止させる。
【００３７】
そして、第１キャリッジ４１は、スリットガラス４５の上面を通過中の原稿Ｓに向かって光源からの照明光を照射する。スリットガラス４５を透過して原稿Ｓで反射した反射光は、第１キャリッジ４１及び第２キャリッジ４２に搭載された各ミラー部材を経由して結像レンズ４３により撮像部４４に結像して読取画像として読み取らせるようになっている。なお、この読取位置において、原稿Ｓの表面画像は結像レンズ４３に関して撮像部４４と共役である。
【００３８】
一方、突当部材４７に突き当てた状態でプラテンガラス４６上に載置された原稿を読み取る場合には、第１キャリッジ４１及び第２キャリッジ４２を、図１において左右方向（副走査方向）に移動させる。そして、各キャリッジ４１，４２を移動させる過程で、光源により原稿Ｓに光を照射し、各キャリッジ４１，４２に搭載された各ミラー部材により原稿Ｓからの反射光を折り返す。その反射光は、結像レンズ４３により結像して撮像部４４で読み取らせる。
【００３９】
なお、上述した給紙部２、画像形成部３、画像読取部４の各種制御は、図示しない本体制御部によってその駆動等が制御されるが、これらの各種制御は公知の技術を用いているために、ここではその詳細な説明は省略する。
【００４０】
本実施の形態において、スリットガラス４５の上面とプラテンガラス４６の上面とは同一平面上に配置されている。また、スリットガラス４５と突当部材４７との間には、紙面奥行き方向（主走査方向）に延びるスペーサ４８が設けられている。なお、このスペーサ４８の具体的な構成は後述する。また、スペーサ４８は突当部材４７と一体でもよい。
【００４１】
ＡＤＦ５は、原稿載置台としての原稿トレイ５１と、各種ローラ等からなる原稿搬送部５２と、画像読み取り後の原稿Ｓを集積する排出トレイ５３と、を有する。原稿トレイ５１と排出トレイ５３とは、ＡＤＦ５の小型化を目的として、少なくともその一部が離間状態で上下に重ねて配置している。
【００４２】
ＡＤＦ５は、原稿トレイ５１に載置された原稿Ｓの原稿束から最上位の原稿Ｓを１枚ずつ分離して原稿搬送部５２によりスリットガラス４５上に搬送する。
【００４３】
そして、ＡＤＦ５は、スリットガラス４５を通過する際に画像読取部４により原稿Ｓの画像を読み取った後、排出トレイ５３に排出する。また、ＡＤＦ５は、画像読取部４に対して図示しないヒンジ機構等の開閉機構を介して開閉自在に取り付けられている。
【００４４】
次に、図２を参照して、ＡＤＦ５の詳細な構成について説明する。
【００４５】
原稿トレイ５１は、原稿搬送部５２を原稿Ｓの先端側として、その先端側が下方、その後端側が上方となるように給紙方向上流側に上向き傾斜して配置されている。原稿トレイ５１は、先端側原稿トレイ５１Ａと後端側原稿トレイ５１Ｂとで分割されており、先端側原稿トレイ５１Ａは軸５１Ｃを回動中心として原稿Ｓの束厚に応じて先端が下方に傾くように回動可能となっている。原稿トレイ５１は、原稿搬送部５２に向かう原稿Ｓの給紙方向と直行する左右方向を位置決めするサイドガイド板５４を有する。
【００４６】
サイドガイド板５４は、原稿トレイ５１の一方の縁部側に原稿Ｓの一方の縁部を当接させて原稿Ｓの他方の縁部に対して移動可能に配置している。すなわち、サイドガイド板５４は、原稿トレイ５１の他方の縁部側に配置されて一方の縁部側に対して接近・離間するようスライド可能に原稿トレイ５１に設けられている。これにより、原稿トレイ５１にセットする原稿サイズが小さくなるほど原稿トレイ５１の他方の縁部側に原稿Ｓを変位させる。なお、サイドガイド板５４は、原稿トレイ５１と原稿Ｓの幅方向の中心を一致させるように相対的に接近・離間可能な一対のものでもよい。
【００４７】
原稿搬送部５２は、少なくともその上方を開閉可能としたカバー５５によって覆われている。カバー５５は、原稿Ｓの先端がカバー内部に臨むように原稿トレイ５１の給紙方向下流側端部付近の上方に供給口５５ａを有する。カバー５５は、供給口５５ａよりも内部に先端側原稿トレイ５１Ａの先端が位置するように、先端側原稿トレイ５１Ａの先端の上方を覆っている。原稿搬送部５２は、供給口５５ａから排出トレイ５３の上方の排出口５５ｂに至る範囲をカバー５５等に形成されたリブ５５ｃ（詳細は図示せず）等によって原稿搬送経路５６を形成している。さらに、複合機１の全体の側面側のカバー５５には、カード供給部７１が設けられている。
【００４８】
原稿搬送部５２は、原稿Ｓの原稿搬送方向を基準として供給口５５ａ側の上流端であって先端側原稿トレイ５１Ａの先端上部に、原稿Ｓの載置により回動するセットフィラー５７を有する。原稿搬送部５２は、供給口５５ａよりも内側の近傍に配置されたピックアップローラ５８と、原稿搬送経路５６を挟んで対向するように配置された給紙ローラ５９及び分離板６０と、を給紙部として有する。
【００４９】
ピックアップローラ５８は、接触位置において原稿トレイ５１に積載された原稿Ｓのうち、最上位側から数枚（理想的には１枚）の原稿Ｓをピックアップする。
【００５０】
給紙ローラ５９は原稿給送方向に回転可能となっている。分離板６０は、複数枚の原稿Ｓが重送されようとした場合に、給紙ローラ５９の回動移動方向に対して最上位以外の原稿Ｓの抵抗となることにより、原稿Ｓの重送を抑制する。なお、給紙ローラ５９はベルト方式のものでもよいし、分離板６０は給紙ローラ（給紙ベルト）とは逆方向に回転するローラ方式のものでもよい。
【００５１】
原稿搬送部５２は、原稿搬送経路５６を挟んで対向するように原稿Ｓをニップして搬送する複数の搬送ローラ対６１〜６７を有する。また、搬送ローラ対６３と搬送ローラ対６４との間であってスペーサ４８と対向する位置には、対ではない一つの、すなわち、対向するローラの無い補助搬送ローラ６８が設けられている。また、原稿搬送部５２は、スリットガラス４５の上方で搬送ローラ対６３と補助搬送ローラ６８との間の直線的に原稿Ｓを搬送する経路上に第２原稿画像読取装置６９を配置している。
【００５２】
なお、搬送ローラ対６１〜６７の配置数や配置場所は、例えば、原稿搬送経路５６の経路設計や、ＡＤＦ５が許容する原稿Ｓの最小サイズの原稿搬送方向の長さ等に応じて任意である。本実施の形態において、搬送ローラ対６３〜６７及び補助搬送ローラ６８の各配置間隔は最小原稿サイズであるカードＣの長手方向の長さ以下とされている。
【００５３】
搬送ローラ対６１は、ピックアップローラ５８の駆動タイミングに応じて、給紙した原稿Ｓの先端を突き当ててスキュー搬送を補正し、補正後の原稿Ｓを引き出し搬送する先端整合機能を有するようになっている。
【００５４】
搬送ローラ対６７は、排出口５５ｂよりも上流側直前に配置して原稿Ｓを排出口５５ｂから排出トレイ５３に向けて排出する排出ローラとして機能する。
【００５５】
第２原稿画像読取装置６９は、原稿Ｓの裏面画像を読み取る第２読取手段として用いられ、原稿Ｓ及びカードＣの表面画像を画像読取部４の撮像部４４で読み取る前に原稿Ｓ及びカードＣの裏面画像を読み取るように密着型のイメージセンサ等を用いている。
【００５６】
なお、第１キャリッジ４１、第２キャリッジ４２、結像レンズ４３、撮像部４４は、第２原稿画像読取装置６９と同様に一つの密着型のイメージセンサによって構成してもよい。また、図２以降における図示並びに以下の説明においては、図示及び説明の便宜上、第１キャリッジ４１のみを図示するとともに、この第１キャリッジ４１で画像を読み取るものとして説明する。
【００５７】
カード供給部７１は、カード供給口７２と、カード供給トレイ７３と、カードピックアップローラ７４と、カード搬送経路７５と、を有する。
【００５８】
カード供給トレイ７３は、常時は閉じていてカバー５５の側面の一部を構成し、供給口７２を開放するように回動可能となっている。
【００５９】
カードピックアップローラ７４は、カード供給トレイ７３にセットされたカードＣを取り出してカード搬送経路７５にカードを供給する。
【００６０】
カード搬送経路７５は、供給口７２から搬送ローラ対６３に至る経路であり、スリットガラス４５の上流側で原稿搬送経路５６に合流する。この際、カード搬送経路７５は、スリットガラス４５に至る範囲を、スリットガラス４５の上面を基準として同一平面上に位置するストレート搬送路とするのが望ましい。
【００６１】
なお、本実施の形態において、カード供給部７１は、図３に示すように、主走査方向の略中央に設けている。
【００６２】
（ＡＤＦ５の各種センサ構造）
一方、原稿トレイ５１には、図２に示すように、原稿トレイ５１に載置した原稿Ｓの向きが縦長か横長の何れであるかを検知する第１原稿長さ検知センサ８１Ａ〜第３原稿長さ検知センサ８１Ｃを給送方向に沿って離隔して設けている。
【００６３】
第１原稿長さ検知センサ８１Ａは、例えば、原稿トレイ５１の他方の縁部側に片寄った供給口５５ａの近傍に配置され、例えば、サイドガイド板５４の対向距離を検知する検知センサ（図示せず）と併用して原稿トレイ５１に載置された原稿がカードＣであることを検知する検知センサとして機能する。
【００６４】
第２原稿長さ検知センサ８１Ｂと第３原稿長さ検知センサ８１Ｃとは、例えば、サイドガイド板５４の対向距離を検知する検知センサ（図示せず）と併用して原稿トレイ５１に載置された原稿Ｓのサイズ検知センサとして機能する。
【００６５】
例えば、サイドガイド板５４の対向距離がＡ４規格サイズの長手方向の長さを検知し、第２原稿長さ検知センサ８１Ｂが原稿Ｓを検知しかつ第３原稿長さ検知センサ８１Ｃが原稿Ｓを検知していないとき、図示しないＡＤＦ制御部はＡ４横置きと判定する。
【００６６】
また、サイドガイド板５４の対向距離がＡ４規格サイズの長手方向の長さを検知しているときに、第２原稿長さ検知センサ８１Ｂと第３原稿長さ検知センサ８１Ｃとが原稿Ｓを検知しているとき、ＡＤＦ制御部はＡ３縦置きと判定する。
【００６７】
なお、これらの原稿サイズや縦置き・横置きの判定は公知であるため、上述した以外の原稿載置パターンの判定方法は省略する。また、第２原稿長さ検知センサ８１Ｂ及び第３原稿長さ検知センサ８１Ｃには、光学的手段により非接触で検知する反射型センサ又は接触式のアクチュエータ等の接触型センサを用いてもよい。
【００６８】
また、原稿トレイ５１の先端寄りの底面付近には、セットフィラー５７の先端部の移動軌跡上の最下部を検知することによって、原稿トレイ５１に原稿Ｓが載置されたか否かを検知する原稿セットセンサ８２が設けられている。
【００６９】
例えば、上述した原稿Ｓのサイズや載置方向の検知とは別に、原稿セットセンサ８２がセットフィラー５７の先端を検知しているとき、すなわち、原稿Ｓによってセットフィラー５７の先端が回動しているときに、ＡＤＦ制御部はＡＤＦ５に原稿Ｓがセットされていると判定する。
【００７０】
また、原稿セットセンサ８２がセットフィラー５７の先端を検知していないとき、すなわち、原稿Ｓによってセットフィラー５７の先端が回動していないときに、ＡＤＦ制御部はＡＤＦ５に原稿Ｓがセットされていないと判定する。なお、原稿セットセンサ８２は、原稿トレイ５１と原稿搬送部５２との何れに設けてもよい。
【００７１】
また、先端側原稿トレイ５１Ａの先端の下方には、ホームポジションセンサ８３が設けられている。例えば、原稿トレイ５１に原稿Ｓが載置されていない状態、すなわち、先端側原稿トレイ５１Ａにピックアップローラ５８が直接接触している状態をホームポジションとして規定する。そして、そのホームポジションセンサ８３と先端側原稿トレイ５１Ａとの離間距離を基準とし、その離間距離であることをホームポジションセンサ８３が検知しているときに、ＡＤＦ制御部は先端側原稿トレイ５１Ａがホームポジションにあると判定する。
【００７２】
また、原稿搬送部５２は、給紙適正位置センサ８４、突当センサ８５、原稿幅センサ８６、読取入口センサ８７、レジストセンサ８８、排出センサ８９を、原稿Ｓの搬送方向上流側から下流側に向かってこの順に配置している。
【００７３】
給紙適正位置センサ８４は、先端側原稿トレイ５１Ａの先端部の上方に配置し、原稿搬送経路５６で搬送中の原稿Ｓの有無を検知する。給紙適正位置センサ８４は、原稿載置面に載置された原稿Ｓの給送方向前端部が適切な高さである給紙適正位置に保持されているかを検知する。
【００７４】
突当センサ８５は、給紙ローラ５９と搬送ローラ対６１との間に配置している。突当センサ８５が原稿Ｓの先端及び後端を検知したときに、図示しない制御回路は、その搬送距離に対応するモータパルスから原稿Ｓの搬送方向の長さを判定する。
【００７５】
原稿幅センサ８６は、搬送ローラ対６１と搬送ローラ対６２との間に配置している。原稿幅センサ８６は、原稿Ｓの幅方向に沿って複数並べた発光素子と、この発光素子と原稿搬送経路５６を挟んで対向位置に配置した受光素子と、を有する。受光素子の検知結果に基づいて、ＡＤＦ制御部は原稿Ｓの幅を判定する。
【００７６】
なお、読取入口センサ８７、レジストセンサ８８、排出センサ８９は、原稿Ｓの搬送距離や搬送速度等の搬送制御用、並びにジャム検知用等に用いられる。読取入口センサ８７は、搬送ローラ対６２と搬送ローラ対６３との間の原稿搬送経路５６に配置している。レジストセンサ８８は、搬送ローラ対６３と第２原稿画像読取装置６９との間の原稿搬送経路５６の終端部付近に配置している。排出センサ８９は、搬送ローラ対６６と搬送ローラ対６７との間の原稿搬送経路５６に配置している。
【００７７】
また、これらＡＤＦ５における各種の駆動制御等はＡＤＦ制御部の他、その一部又はすべての制御に関して、本体制御部で行ってもよい。なお、上述した各種センサ等を用いたＡＤＦ制御部による制御は一例であって、本実施の形態における固有の制御ではない。したがって、各種センサの配置や機能及びその制御は公知の技術を用いることができるため、ここでは具体的なＡＤＦ制御部による制御例の説明は省略する。
【００７８】
（実施の形態１）
図４乃至図８は、本発明の実施の形態１を示す。この実施の形態１は、上述した複合機１の基本構成において、小サイズの原稿としてのカードＣを種類に応じて異なる経路を用いて画像の読み取りを行うようにしたものである。
【００７９】
すなわち、カードＣのうち、名刺等の通常原稿と比較して厚手であるもの、ある程度の撓みは許容されるカードＣに対してはＡＤＦ５の本来の自動原稿搬送機能により画像の読み取りを行うことができる。一方、キャッシュカード、クレジットカード、免許証のように、撓みが困難（厳禁）なカードＣの場合にはカード供給部７１を用いた自動原稿搬送機能により画像の読み取りを行う。
【００８０】
このため、図４に示すように、突当部材４７の傾斜面４７ａには、主走査方向の中央、すなわち、カード供給部７１の延長線上には、キャッシュカード等撓みが困難（厳禁）な厚肉のカードＣ（以下、「厚肉のカードＣ」と称する。）の通過を許容する通過孔４７ｂが形成されている。
【００８１】
これにより、原稿搬送経路５６は、スリットガラス４５の上面から通過孔４７ｂを経由してプラテンガラス４６の上面に至るカード搬送経路５６Ａを分岐して有している。
【００８２】
一方、スペーサ４８の原稿トレイ５１の他方の縁部側に片寄った位置の延長線上には、凹部４８ａが形成されている。この凹部４８ａは、名刺等撓みを許容する薄肉のカードＣ（以下、「薄肉のカードＣ」と称する。）の短手方向の長さ以上の幅を主走査方向に沿って有している。
【００８３】
補助搬送ローラ６８は、凹部４８ａの上方に位置し、凹部４８ａの主走査方向に沿う幅以下の幅を有している。なお、補助搬送ローラ６８は、主走査方向に沿って複数に分割して配置してもよい。また、補助搬送ローラ６８は、カード供給部７１の延長線上、すなわち、厚肉のカードＣが通過する範囲にも配置されている。
【００８４】
また、補助搬送ローラ６８は、その最下点であって薄肉のカードＣと接触する原稿接触点ｐと対向する凹部４８ａにより、スペーサ４８に対して非接触となっている。補助搬送ローラ６８は、図５に示すように、補助搬送ローラ６８よりも原稿搬送方向上流側でカードＣと接する上流側接点ｐ１と補助搬送ローラ６８よりも原稿搬送方向下流側でカードＣと接する下流側接点ｐ２とを結ぶ線分Ｈよりも下方に原稿接触点ｐが位置する。
【００８５】
すなわち、傾斜面４７ａは、補助搬送ローラ６８よりも原稿搬送方向下流側において下流に向かうにしたがって上向き傾斜するとともに原稿接触点ｐよりも上方に下流側接点ｐ２を有する。
【００８６】
これにより、補助搬送ローラ６８の原稿接触点ｐは、凹部４８ａがない状態においてもスペーサ４８の上面から離間した状態となっている。
【００８７】
なお、主走査方向に複数の補助搬送ローラ６８を分割して配置した場合、これら他の補助搬送ローラ６８もスペーサ４８に対して離間した状態となる。
【００８８】
したがって、補助搬送ローラ６８の原稿接触点ｐは、少なくとも厚肉のカードＣの搬送を可能とするためには、厚肉のカードＣの厚さ以下でかつスペーサ４８の上面から離間しているのが望ましい。
【００８９】
上記の構成において、通常原稿Ｓ又は薄肉のカードＣの画像を読み取る場合には、原稿トレイ５１に通常原稿Ｓ又は薄肉のカードＣをセットし、図示しないスタートボタンを押下することによって、最上位の原稿Ｓから順に原稿搬送部５２へと繰り出される。
【００９０】
そして、図６（Ａ）に示すように、通常原稿Ｓ又は薄肉のカードＣは、供給口５５ａから原稿搬送経路５６の中途部で折り返されるようにＵターン搬送される。
【００９１】
この後、通常原稿Ｓ又は薄肉のカードＣは、片面画像の読み取りの場合には、スリットガラス４５の上面を通過する際に、第１キャリッジ４１により画像が読み取られる。
【００９２】
さらに、通常原稿Ｓ又は薄肉のカードＣは、その他面（例えば、裏面）の画像を読み取る場合には、スリットガラス４５の上面を通過する際に、第２原稿画像読取装置６９により他面の画像が読み取られる。
【００９３】
そして、画像を読み取った後の通常原稿Ｓ又は薄肉のカードＣは、搬送ローラ対６４〜６６を経由した後、搬送ローラ対６７により排出口５５ｂから排出トレイ５３に向けて排出される。
【００９４】
一方、カード搬送経路７５は、原稿トレイ５１で設定されている小サイズ原稿、特に、銀行等のキャッシュカードや各種クレジットカード、或いは免許証等のような厚肉の樹脂カード類の厚肉のカードＣを原稿搬送経路５６に受け渡し可能となっている。
【００９５】
すなわち、厚肉のカードＣは、図６（Ｂ）に示すように、スリットガラス４５の上面から通過孔４７ｂを経由してプラテンガラス４６の上面に至るカード搬送経路５６Ａにより、同一平面上を搬送される。
【００９６】
これにより、厚肉のカードＣの画像を読み取る場合には、まず、カード供給トレイ７３により供給口７２を開放する。この状態で、カード供給トレイ７３に厚肉のカードＣをセットし、図示しないスタートボタンを押下することで厚肉のカードＣをカード搬送経路７５へと繰り出す。
【００９７】
そして、厚肉のカードＣは、スリットガラス４５の上面を通過する際に、片面・両面画像の読み取りかに応じて、スリットガラス４５の上面を通過する際に第２原稿画像読取装置６９又は第１キャリッジ４１により画像が読み取られる。
【００９８】
さらに、画像を読み取った後の厚肉のカードＣは、補助搬送ローラ６８によりカード搬送経路５６Ａへと搬送され、通過孔４７ｂを通過した後、プラテンガラス４６の上面に向けて排出される。
【００９９】
なお、厚肉のカードＣは、補助搬送ローラ６８を抜けた時点で搬送が停止するが、プラテンガラス４６に少なくとも一部が露出しているため、ＡＦＤ５を開放することにより、画像読み取り後の厚肉のカードＣを回収することができる。
【０１００】
また、複数の厚肉のカードＣを連続して画像読み取りを行った場合、後続の厚肉のカードＣが先の厚肉のカードＣを押し出すため、プラテンガラス４６の長さの枚数分だけ連続した画像の読み取りを行うことができる。
【０１０１】
次に、本実施形態のより詳細な作用を説明する。薄肉のカードＣは、図７（Ａ）に示すように、搬送ローラ対６３のニップによりスリットガラス４５の上面を通過すると、その先端（下流端）が補助搬送ローラ６８に到達する。ここで、補助搬送ローラ６８は、スペーサ４８の上面から離間している。
【０１０２】
したがって、その離間距離よりも薄い通常原稿Ｓの場合には、補助搬送ローラ６８による搬送力が加わることなく傾斜面４７ａによって搬送ローラ対６４に向けて搬送される。
【０１０３】
これに対し、薄肉のカードＣの場合、補助搬送ローラ６８とスペーサ４８の上面との離間離と薄肉のカードＣとの差分に応じ、補助搬送ローラ６８による搬送力が加わるか加わらないかの程度の関係となる。
【０１０４】
そして、薄肉のカードＣは、搬送ローラ対６３によるニップから抜けるよりも前に、その先端が傾斜面４７ａの傾斜によって案内される。
【０１０５】
これにより、薄肉のカードＣは、補助搬送ローラ６８の原稿接触点ｐに完全に接触して搬送力が加わる。
【０１０６】
さらに、薄肉のカードＣは、図７（Ｂ）に示すように、補助搬送ローラ６８による搬送力によって、その先端が原稿接触点ｐに到達したときに、搬送力が最大限に加わる。
【０１０７】
すなわち、薄肉のカードＣは、補助搬送ローラ６８の原稿接触点ｐに接触して搬送力が加わってから先端が原稿接触点ｐに到達し、上流側接点ｐ１と下流側接点ｐ２とに跨った状態となるまでの間、徐々に撓みが発生する。
【０１０８】
この薄肉のカードＣの撓みは、そのまま補助搬送ローラ６８に対する反力となり、原稿接触点ｐに対する薄肉のカードＣの接触圧を搬送距離が増えるにしたがって強くなるように変動させることができ、薄肉のカードＣに対する搬送力を徐々に加えることができる。
【０１０９】
すなわち、薄肉のカードＣがニップ方式の搬送ローラ対６１〜６７のニップ面に突入する場合には、ニップ面に薄肉のカードＣが噛んだ瞬間に搬送力が伝達される。
【０１１０】
このため、薄肉のカードＣに対する加圧力が大きいほどニップ面に突入するときのショックや、上流側の搬送ローラ対６１〜６６との線速差などの影響を受け易く、画像にショックジターとなって現れやすい。
【０１１１】
これに対し、補助搬送ローラ６８は、ニップ方式を採用せず、しかも、対向する搬送面であるスペーサ４８から離間した非接触状態にある。
【０１１２】
これにより、薄肉のカードＣは、その厚さに依存して原稿接触点ｐと接触した際の初期の加圧力は小さい。
【０１１３】
そして、薄肉のカードＣは、搬送されるにしたがって傾斜面４７ａの傾斜に案内されるにしたがって撓みが発生し、加圧力が徐々に大きくなりるとともに上流の搬送ローラ対６３のニップから抜けて搬送を受け継ぐ時点で十分な搬送力が得られる。
【０１１４】
これにより、特に、画像の読み取りを行っている過程における急激な搬送力の変動を抑制することができ、ショックジターなどの画像劣化を防ぐことができる。
【０１１５】
このように、補助搬送ローラ６８は、通常原稿Ｓや薄肉のカードＣと接触していないときには、原稿接触点ｐがスペーサ４８の対向する面に対しても非接触なので、負荷を低減することができるうえ、磨耗や異音の発生などの不具合を抑制することができる。
【０１１６】
しかも、補助搬送ローラ６８は、対向するニップ搬送用のローラを必用とすることなく、薄肉のカードＣ及び厚肉のカードＣの搬送時における搬送力を得ることができる。
【０１１７】
一方、厚肉のカードＣは、図８（Ａ）に示すように、搬送ローラ対６３のニップによりスリットガラス４５の上面を通過すると、その先端（下流端）が補助搬送ローラ６８に到達する。ここで、補助搬送ローラ６８は、厚肉のカードＣの厚さ以下でスペーサ４８の上面から離間している。
【０１１８】
したがって、その離間距離よりも厚い厚肉のカードＣの場合、補助搬送ローラ６８による搬送力により、図８（Ｂ）に示すように、そのまま通過孔４７ｖを通過し、プラテンガラス４６の上面へと搬送される。
【０１１９】
このように、本発明は、画像の読み取り対象となる原稿を供給する供給口５５ａと、供給口５５ａから供給した原稿を搬送する原稿搬送部５２と、原稿搬送部５２に設けたスリットガラス４５に対応して位置したときにスリットガラス４５の上面を通過する搬送中の原稿の画像を読み取りかつ原稿搬送部５２から外れて設けたプラテンガラス４６に対応して位置したときにプラテンガラス４６に載置した原稿の画像を読み取る画像読取部５と、を備え、スリットガラス４５とプラテンガラス４６とが同一平面内に配置されるとともに、スリットガラス４５とプラテンガラス４６との間のスペーサ４８と離間状態で対向するように原稿接触点ｐが位置する補助搬送ローラ６８を設けたことにより、装置本体の小型化や読み取り時間の短縮化に貢献しつつ、小サイズで厚手の樹脂カード類への読み取りを可能とし、原稿の読み取りの多様化に対応することができる。
【０１２０】
ところで、本発明は、上記実施の形態１の構成に限定されるものではなく、その趣旨及び技術的思想を逸脱しない範囲内で種々の構成が可能である。以下、他の実施の形態を順を追って説明する。
【０１２１】
（実施の形態２）
図９及び図１０は、本発明の実施の形態２を示す。なお、この実施の形態２において、複合機１の全体図（上記図１相当）及びＡＤＦ５の全体図（上記図２相当）の図示は省略し、上記実施の形態１と同一の構成若しくは機能的に同一の構成には、同一の符号を付してその詳細な説明は省略する。
【０１２２】
この実施の形態２は、上述した複合機１の基本構成において、小サイズの原稿としてのカードＣを種類に関係なく又は上記実施の形態１と併用して画像の読み取りを行うようにしたものである。
【０１２３】
すなわち、カードＣのうち、名刺等の通常原稿と比較して厚手であるもの、ある程度の撓みは許容される薄肉のカードＣに対しては、実施の形態１と同様の搬送経路により画像の読み取りを行ってもよい。
【０１２４】
以下の説明においては、カードＣの種類に関係なく、カード供給部７１により画像の読み取りを行う場合で説明する。なお、以下の説明においては、特に断りのない限り、カードＣの種類は不問であるため、薄肉・厚肉の区別なく、単にカードＣと称する。
【０１２５】
この実施の形態２において、スリットガラス４５と突当部材４７との間には、スペーサ１４８が設けられている。
【０１２６】
スペーサ１４８の主走査方向の中央、すなわち、カード供給部７１の延長線上には、凹部１４８ａが形成されている。凹部１４８ａは、カードＣの短手方向の長さ以上の幅を主走査方向に沿って有している。
【０１２７】
これにより、原稿搬送経路５６は、スリットガラス４５の上面から通過孔４７ｂを経由してプラテンガラス４６の上面に至るカード搬送経路５６Ａを分岐して有している。
【０１２８】
補助搬送ローラ６８は、図１０に示すように、凹部１４８ａの上方に位置し、凹部１４８ａの主走査方向に沿う幅以下の幅を有している。なお、補助搬送ローラ６８は、主走査方向に沿って複数に分割して配置してもよい。
【０１２９】
また、補助搬送ローラ６８は、その最下点であってカードＣと接触する原稿接触点ｐと対向する凹部１４８ａにより、スペーサ１４８に対して非接触となっている。この際、補助搬送ローラ６８は、補助搬送ローラ６８よりも原稿搬送方向上流側でカードＣと接する上流側接点ｐ１と補助搬送ローラ６８よりも原稿搬送方向下流側でカードＣと接する下流側接点ｐ２とを結ぶ線分Ｈよりも下方に原稿接触点ｐが位置する。
【０１３０】
これにより、補助搬送ローラ６８の原稿接触点ｐは、スリットガラス４５の上面及びプラテンガラス４６の上面に対して下方に位置することとなる。
【０１３１】
上記の構成において、カードＣの画像を読み取る場合、カードＣは、スリットガラス４５の上面から通過孔４７ｂを経由してプラテンガラス４６の上面に至るカード搬送経路５６Ａにより搬送される。
【０１３２】
これにより、カードＣの画像を読み取る場合には、まず、カード供給トレイ７３により供給口７２を開放する。この状態で、カード供給トレイ７３にカードＣをセットし、図示しないスタートボタンを押下することでカードＣをカード搬送経路７５へと繰り出す。
【０１３３】
そして、カードＣは、スリットガラス４５の上面を通過する際に、片面・両面画像の読み取りかに応じて、スリットガラス４５の上面を通過する際に第２原稿画像読取装置６９又は第１キャリッジ４１により画像が読み取られる。
【０１３４】
さらに、画像を読み取った後のカードＣは、補助搬送ローラ６８によりカード搬送経路５６Ａへと搬送され、通過孔４７ｂを通過した後、プラテンガラス４６の上面に向けて排出される。
【０１３５】
この際、カードＣは、上流側接点ｐ１よりも下方に原稿接触点ｐが位置する補助搬送ローラ６８により撓みが発生し、そのカードＣの反力によって搬送力を与えることができる。
【０１３６】
さらに、カードＣは、補助搬送ローラ６８による搬送力によって、その先端が下流側接点ｐ２に到達したときに、搬送力が最大限に加わる。
【０１３７】
すなわち、カードＣは、補助搬送ローラ６８の原稿接触点ｐに接触して搬送力が加わってから、上流側接点ｐ１と下流側接点ｐ２とに跨った状態となるまでの間、徐々に撓みが発生する。
【０１３８】
このカードＣの撓みは、そのまま補助搬送ローラ６８に対する反力となり、原稿接触点ｐに対するカードＣの接触圧を搬送距離が増えるにしたがって強くなるように変動させることができ、カードＣに対する搬送力を徐々に加えることができる。
【０１３９】
このように、補助搬送ローラ６８は、通常原稿ＳやカードＣと接触していないときには、原稿接触点ｐがスペーサ１４８の対向する面に対しても非接触なので、負荷を低減することができるうえ、磨耗や異音の発生などの不具合を抑制することができる。
【０１４０】
したがって、補助搬送ローラ６８は、対向するニップ搬送用のローラを必用とすることなく、カードＣ及びカードＣの搬送時における搬送力を得ることができる。
【０１４１】
（実施の形態３）
図１１は、本発明の実施の形態３を示す。なお、この実施の形態３において、複合機１の全体図（上記図１相当）及びＡＤＦ５の全体図（上記図３，４相当）の図示は省略し、上記実施の形態１又は実施の形態２と同一の構成若しくは機能的に同一の構成には、同一の符号を付してその詳細な説明は省略する。
【０１４２】
この実施の形態３では、上記実施の形態２の構成において、補助搬送ローラ６８の高さを調整可能としたものである。
【０１４３】
具体的には、スリットガラス４５とプラテンガラス４６との間、すなわち、スペーサ１４８の上方において、補助搬送ローラ６８を回転可能に軸支するとともにＡＤＦ５に対して上下方向に変位可能な支持軸６８ａの高さを調整する調整部材１４９を設けている。
【０１４４】
調整部材１４９は、例えば、図示しない操作パネルの設定操作により、カードＣの種類を選択し、その選択が薄肉のカードＣである場合と厚肉のカードＣである場合とで補助搬送ローラ６８の高さを変更するものである。
【０１４５】
調整部材１４９は、薄肉のカードＣである場合は補助搬送ローラ６８の原稿接触点ｐを線分Ｈに対して低い位置とし、厚肉のカードＣである場合は補助搬送ローラ６８の原稿接触点ｐを線分Ｈに対して低くかつ薄肉のカードＣの場合よりも高い位置とする。
【０１４６】
これにより、カードＣの厚さに関係なく、カードＣに与える加圧力を調整することができ、カードＣの厚さによって搬送力（搬送速度）が変わることも抑制される。
【０１４７】
なお、調整部材１４９は、例えば、ソレノイド等を用いて支持軸６８ａの高さを直接変える構成を採用することができる。また、調整部材１４９にゴム等の弾性部材を用い、支持軸６８ａを挟んで反対側から圧力を加えることで支持軸６８ａの高さを変える構成を採用することができる。
【０１４８】
さらに、図１２に示すように、調整部材１４９に対して偏心コロ１５０を変更部材として用いて支持軸６８ａの高さを変える構成を採用することができる。
【０１４９】
ここで、補助搬送ローラ６８の凹部１４８ａへの入り込み、すなわち、線分Ｈとの高さの差は、カードＣを搬送する際のカードＣの撓み量を決めるために必用な要素である。
【０１５０】
この際、特に、ＡＤＦ５に調整部材１４９や偏心コロ１５０を設けて補助搬送ローラ６８の高さを位置を決めてしまった場合、その高さはＡＤＦ５への部品（原稿等）の積み上げや、ユーザー操作などによる影響も考えるとばらつきが大きくなりやすい。
【０１５１】
そこで、画像読取部４に設けた調整部材１４９に補助搬送ローラ６８を突き当てることで、ＡＤＦ５への部品の積み上げに起因する沈み込みが発生しても、精度よく高さ決めをすることが可能であり、カードＣの撓み量を容易に管理することが可能となる。
【０１５２】
（実施の形態４）
図１３は、本発明の実施の形態４を示す。なお、この実施の形態４において、複合機１の全体図（上記図１相当）及びＡＤＦ５の全体図（上記図３，４相当）の図示は省略し、上記実施の形態１又は実施の形態２と同一の構成若しくは機能的に同一の構成には、同一の符号を付してその詳細な説明は省略する。
【０１５３】
この実施の形態４では、上記実施の形態１の構成において、突当部材４７の傾斜面４７ａの一部の傾斜角度を可変としたものである。
【０１５４】
具体的には、突当部材１４７の傾斜面１４７ａの一部に、可動板１４７Ａとコイルスプリング等の付勢部材１４７Ｂとを設け、カードＣの厚さや硬さに応じて可動板１４７Ａの角度を可変としたものである。
【０１５５】
可動板１４７Ａは、傾斜面１４７ａの下端側を回動支点として回動可能となっており、常時は付勢部材１４７Ｂの付勢により傾斜角度が急となる方向に付勢されている。
【０１５６】
これにより、例えば、薄肉のカードＣの場合には、図１３（Ａ）に示すように、可動板１４７Ａは最大傾斜角で撓ませ、厚肉のカードＣの場合には、図１３（Ｂ）に示すように、可動板１４７Ａは最小傾斜角で撓ませる。
【０１５７】
したがって、カードＣの種類や硬さに応じた撓みを発生させることができ、搬送力の均一化に貢献することができる。
【０１５８】
このように、厚手のカードＣのように、撓みによる反発力の大きいカード搬送を目的としているが、薄手のカードＣのように、撓み反発力の小さいカード搬送を行う場合は、撓み量を増やすことで、搬送力を変えることができる。
【０１５９】
以上説明したように、本発明は、装置本体の小型化や読み取り時間の短縮化に貢献しつつ、小サイズで厚肉の樹脂カード類への読み取りを可能とし、原稿の読み取りの多様化に対応することができるという効果を有し、原稿画像読取装置（ＡＤＦ）全般にも有用である。
【符号の説明】
【０１６０】
１  画像形成装置
４  画像読取部
５  原稿搬送部（ＡＤＦ）
６  画像読取装置
４５  スリットガラス（搬送原稿読取面）
４６  プラテンガラス（固定原稿読取面）
４８  スペーサ（搬送面）
５２  原稿搬送部
５５ａ  供給口
６８  補助搬送ローラ
ｐ  原稿接触点
６９  第２原稿画像読取装置
【先行技術文献】
【特許文献】
【０１６１】
【特許文献１】特開２０１３−１４１１７３号公報
【特許文献２】特開２０１１−０８６９８８号公報
【特許文献３】特開平１１−１２７３０１号公報
【図１】
2015220672.tif 000003
【図２】
2015220672.tif 000004
【図３】
2015220672.tif 000005
【図４】
2015220672.tif 000006
【図５】
2015220672.tif 000007
【図６】
2015220672.tif 000008
【図７】
2015220672.tif 000009
【図８】
2015220672.tif 000010
【図９】
2015220672.tif 000011
【図１０】
2015220672.tif 000012
【図１１】
2015220672.tif 000013
【図１２】
2015220672.tif 000014
【図１３】
2015220672.tif 000015